(57)【要約】【課題】  つなぎ撮りを行う際に、記録媒体に記録されている下地の内容を参照して、それを再構成してつなぎ撮りの際に書き戻す記録再生装置において、つなぎ記録を適切に行い、つなぎ部分がきれいに再生できるができるようにする。【解決手段】  つなぎ撮りを行う際に、記録媒体に記録されている下地の内容を参照して、それを再構成してつなぎ撮りの際に書き戻す記録再生装置において、つなぎ開始点検索中にトラック番号をチェックすることによって、データの連続性を確認する。【選択図】        図５
2006066038.tif 000002
【特許請求の範囲】
【請求項１】
つなぎ撮りを行う際に、記録媒体に記録されている下地の内容を参照して、それを再構成してつなぎ撮りの際に書き戻す記録再生装置におけるつなぎ記録方法であって、
つなぎ開始点検索中にトラック番号をチェックすることによって、データの連続性を確認し、つなぎ記録を行うことを特徴とするつなぎ記録方法。
【請求項２】
つなぎ撮りを行う際に、記録媒体に記録されている下地の内容を参照して、それを再構成してつなぎ撮りの際に書き戻す記録再生装置におけるつなぎ記録方法であって、
つなぎ開始待機点に記録媒体を戻し中にトラックナンバーをチェックすることによって、データの連続性を確認して、つなぎ記録を行うことを特徴とするつなぎ記録方法。
【請求項３】
つなぎ撮りを行う際に、記録媒体に記録されている下地の内容を参照して、それを再構成してつなぎ撮りの際に書き戻す記録再生装置におけるつなぎ記録方法であって、
つなぎ開始待機中にその位置のトラックナンバーとつなぎ開始点のトラックナンバーの差分を比較することによって、データの連続性を確認して、つなぎ記録を行うことを特徴とするつなぎ記録方法。
【請求項４】
つなぎ撮りを行う際に、記録媒体に記録されている下地の内容を参照して、それを再構成してつなぎ撮りの際に書き戻す記録再生装置であって、
つなぎ開始点検索中にトラック番号をチェックすることによって、データの連続性を確認し、つなぎ記録を行う制御手段を備えることを特徴とする記録再生装置。
【請求項５】
つなぎ撮りを行う際に、記録媒体に記録されている下地の内容を参照して、それを再構成してつなぎ撮りの際に書き戻す記録再生装置であって、
つなぎ開始待機点に記録媒体を戻し中にトラックナンバーをチェックすることによって、データの連続性を確認して、つなぎ記録を行う制御手段を備えることを特徴とする記録再生装置。
【請求項６】
つなぎ撮りを行う際に、記録媒体に記録されている下地の内容を参照して、それを再構成してつなぎ撮りの際に書き戻す記録再生装置におけるつなぎ記録方法であって、
つなぎ開始待機中にその位置のトラックナンバーとつなぎ開始点のトラックナンバーの差分を比較することによって、データの連続性を確認して、つなぎ記録を行う制御手段を備えることを特徴とする記録再生装置。
【発明の詳細な説明】
【技術分野】
【０００１】
本発明は、ビデオテープレコーダなど記録再生装置におけるつなぎ記録方法及び記録再生装置に関する。
【背景技術】
【０００２】
従来、ビデオデータなどを、例えば、ＤＶ(Digital Video)方式により圧縮し、磁気テープに記録するためのフォーマットが、民生用デジタルビデオテープレコーダのＤＶフォーマットとして規定されている。
【０００３】
このフォーマットでは、記録されている映像と、新たに入力された映像とを繋いで記録する繋ぎ記録を効率的に行うために、つなぎ記録に必要なデータ(システムデータ)が、所定数のピクチャ毎にその前段にまとめて配置されるようになされており、どのフレームからでもつなぎ記録が行えていた。またつなぎ記録の開始はフレームの頭から行われており、フレームパルスに合わせて記録電流を流せば、つなぎ記録ができるようになっている（例えば、特許文献１参照）。
【０００４】
また、従来、ビデオデータなどを、例えば、ＨＤＶ方式により圧縮し、磁気テープに記録するためのフォーマットが、デジタルビデオテープレコーダのＨＤＶフォーマットとして規定されている。このフォーマットでは、ＭＰＥＧ−ＰＥＳ(Packtized Elementary Stream)のような１フレームの大きさが可変長のデータが磁気テープに記録される（例えば、特許文献２参照）。
【０００５】
【特許文献１】特公平７−７５４１３号公報
【特許文献２】特開２００４−１６４７３１号公報
【発明の開示】
【発明が解決しようとする課題】
【０００６】
ところで、記録されるデータがＭＰＥＧ−ＰＥＳ(Packtized Elementary Stream)の場合には、つなぎ記録の開始点が見つかったとき、記録開始点にあうように磁気テープを巻き戻すだけだったため、巻き戻したときの磁気テープの位置は必ずしも一致せず、多少のばらつきが発生する。このばらつきがあると、つなぎ撮りを行う際に、記録開始するポイントを間違ったりすることがあり、その結果その部分を再生すると画がフリーズしたり、音が飛んだりして、つなぎ部分がきれいに再生できないという問題が発生する。
【０００７】
そこで、本発明の目的は、上述の如き従来の問題点に鑑み、つなぎ記録を適切に行い、つなぎ部分がきれいに再生できるができるようにしたつなぎ記録方法及び記録装置を提供することにある。
【０００８】
本発明の更に他の目的、本発明によって得られる具体的な利点は、以下に説明される実施の形態の説明から一層明らかにされる。
【課題を解決するための手段】
【０００９】
本発明は、つなぎ撮りを行う際に、記録媒体に記録されている下地の内容を参照して、それを再構成してつなぎ撮りの際に書き戻す記録再生装置におけるつなぎ記録方法であって、つなぎ開始点検索中にトラック番号をチェックすることによって、データの連続性を確認し、つなぎ記録を行うことを特徴とする。
【００１０】
また、本発明は、つなぎ撮りを行う際に、記録媒体に記録されている下地の内容を参照して、それを再構成してつなぎ撮りの際に書き戻す記録再生装置におけるつなぎ記録方法であって、つなぎ開始待機点に記録媒体を戻し中にトラックナンバーをチェックすることによって、データの連続性を確認して、つなぎ記録を行うことを特徴とする。
【００１１】
さらに、本発明は、つなぎ撮りを行う際に、記録媒体に記録されている下地の内容を参照して、それを再構成してつなぎ撮りの際に書き戻す記録再生装置におけるつなぎ記録方法であって、つなぎ開始待機中にその位置のトラックナンバーとつなぎ開始点のトラックナンバーの差分を比較することによって、データの連続性を確認して、つなぎ記録を行うことを特徴とする。
【００１２】
本発明は、つなぎ撮りを行う際に、記録媒体に記録されている下地の内容を参照して、それを再構成してつなぎ撮りの際に書き戻す記録再生装置であって、つなぎ開始点検索中にトラック番号をチェックすることによって、データの連続性を確認し、つなぎ記録を行う制御手段を備えることを特徴とする。
【００１３】
また、本発明は、つなぎ撮りを行う際に、記録媒体に記録されている下地の内容を参照して、それを再構成してつなぎ撮りの際に書き戻す記録再生装置であって、つなぎ開始待機点に記録媒体を戻し中にトラックナンバーをチェックすることによって、データの連続性を確認して、つなぎ記録を行う制御手段を備えることを特徴とする。
【００１４】
さらに、本発明は、つなぎ撮りを行う際に、記録媒体に記録されている下地の内容を参照して、それを再構成してつなぎ撮りの際に書き戻す記録再生装置であって、つなぎ開始待機中にその位置のトラックナンバーとつなぎ開始点のトラックナンバーの差分を比較することによって、データの連続性を確認して、つなぎ記録を行う制御手段を備えることを特徴とする。
【発明の効果】
【００１５】
本発明によれば、データの連続性を確認して、つなぎ記録を適切に行うことができる。
【発明を実施するための最良の形態】
【００１６】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００１７】
本発明は、例えば図１に示すような構成の記録再生装置１００に適用される。
【００１８】
この記録再生装置１００は、入力されたビデオデータおよびオーディオデータについて制御部２０により動作が制御される記録処理部１０において所定の単位(以下、パックという)をＤＲＡＭ１４上に形成しながら、回転ヘッド３０を介して磁気テープ４０に記録し、また、上記磁気テープ４０にパックとして記録されているビデオデータおよびオーディオデータを回転ヘッド３０により読み取って上記ＤＲＡＭ１４上に記憶し、再生処理部５０によりビデオデータおよびオーディオデータを再生するもので、上記記録処理部１０や再生処理部５０の動作を制御する制御部２０、この制御部２０に対して、磁気テープにＤＲＡＭ上のデータを記録するのか、磁気テープからデータを読み出してＤＲＡＭ上に記憶させるのかの制御を行うシステムコントローラ８０を備える。
【００１９】
この記録再生装置１００におけるＤＲＡＭ１４上での記憶状態および磁気テープ４０上での記録状態を図２に示す。すなわち、図２はＮ＝１５（１５ピクチャごとにＩピクチャが配置される）、Ｍ＝３（３ピクチャごとにＰピクチャが配置される）のＧＯＰ構造を有しているビデオデータのＤＲＡＭ１４上での記憶状態および磁気テープ４０上での記録状態を表している。すなわち、１パックはＭ個（この場合３個）のピクチャデータと、そのピクチャに関連するＡＵＸデータ（ＡＵＸ−Ｖ：図２中のＵ）、そのピクチャに対応するオーディオデータ（図２中のＡ）、およびそのオーディオデータに関連するＡＵＸデータ（ＡＵＸ−Ａ：図２中のＸ）から構成される。
【００２０】
この記録再生装置１００では、ＤＲＡＭ１４上に記憶したデータに対して、例えば１６トラック分のデータを１単位とするＥＣＣ（Error Correcting Code）処理を施し、１６トラックごとの先頭トラックに、所定の情報が格納されたＥＣＣＴＢ（図２中のＨ）を配置する。なおＥＣＣ処理の単位としての１６トラックごとの単位を、ＥＣＣバンクと呼ぶ。
【００２１】
ＥＣＣＴＢには、ＥＣＣバンクにつなぎ記録の開始点になりうるパックの先頭が含まれる場合、その旨をあらわすデータが設定され、またつなぎ記録の開始点となりうるパックの先頭が含まれていないとき、その旨を表すデータが設定される。すなわち、ＥＣＣＴＢには、つなぎ記録の開始可能点が登録される。
【００２２】
上記ＥＣＣＴＢの内容を図３に示す。
【００２３】
この記録再生装置１００における記録処理部１０は、ビデオデータが入力される圧縮部１１、オーディオデータが入力される圧縮部１２、システムデータ生成部１３、ＤＲＡＭ１４、ＥＣＣ処理部１５及び入出力部１６からなる。
【００２４】
圧縮部１１は、入力されたＨＤ映像信号をＭＰＥＧ方式で圧縮し、その結果得られたビデオデータをＤＲＡＭ１４に出力する。圧縮部１１は、ＨＤ映像信号に対応する音声信号を例えばＭＰＥＧ１  Ｌａｙｅｒ２などに準拠した方式で音声圧縮を行い、その結果得られたオーディオデータをＤＲＡＭ１４に出力する。
【００２５】
システムデータ生成部１３は、ＡＵＸデータやサブコードデータなどで構成されるシステムデータを生成し、ＤＲＡＭ１４に出力する。
【００２６】
圧縮部１１により圧縮されたビデオデータ、圧縮部１２により圧縮されたオーディオデータ及びシステムデータ生成部１３により生成されたシステムデータは、ＤＲＡＭ１４上でパックを形成するようにして記憶される。なお、ＤＲＡＭ１４は、６個のＥＣＣバンク分のデータを記憶することができるものとし、それを超える入力があった場合には、その入力データは先に記憶されたデータに順次上書きされて記憶される。
【００２７】
ＥＣＣ処理部１５は、ＤＲＡＭ１４に記憶された、パックを構成するビデオデータ、オーディオデータ及びシステムデータに対しＥＣＣバンクごとのＥＣＣ処理を施す。ＥＣＣ処理部１５はまた、入出力部１６によって磁気テープ４０から読み出されてＤＲＡＭ１４に記憶されているデータに対して誤り訂正する処理などを施す。
【００２８】
入出力部２６は、ＤＲＡＭ２４に記憶されたデータ（ＥＣＣ処理が施されたデータ）を磁気テープ４０に記録するのに適した方式に変調するとともに、回転ヘッド３０を介して磁気テープ４０に記録する。また、入出力部２６は、回転ヘッド３０を介して磁気テープ４０から読み出されたデータをＤＲＡＭ１４に記憶させる。
【００２９】
制御部２０は、記録処理部１０の各部の制御を行う。
【００３０】
システムコントローラ８０は、上記制御部２０に対して、磁気テープ４０にＤＲＡＭ１４上のデータを記録するのか、磁気テープ４０からデータを読み出してＤＲＡＭ１４に記憶させるのかの制御を行う。
【００３１】
ここで、つなぎ記録を行う場合、記録開始待機点から記録電流オンのターゲットまでのＡＴＮが連続していないと、つなぎ撮りがうまく行えない。したがって、図４に示すように、下地のデータ取得時にテープ駆動開始からサブコードのＡＴＮを取得して編集点までのＡＴＮが連続していることを確認する必要がある。
【００３２】
次に、つなぎ開始点検索中のビデオデータの連続性の調査方法について図５に示すフローチャート及び図６〜図９を参照して説明する。
【００３３】
この処理は、図６に示すａ１の部分のテープ走行の制御に相当する。
【００３４】
まず、システムコントローラ８０から記録再生装置１００の制御部２０に磁気テープ４０から既に記録されているデータを取得する指示を出し（ステップＳ１）、磁気テープ４０をフォワード方向へ起動させる（ステップＳ２）。
【００３５】
次に、基準ＡＴＮが設定済みであるか否かを判定し（ステップＳ３）、基準ＡＴＮ（Ａｂｓｏｌｕｔｅ  Ｔｒａｃｋ  Ｎｕｍｂｅｒ）が設定済みでない場合には、ＡＴＮを取得したか否かを判定し（ステップＳ４）、磁気テープ起動後に最初に取得できたテープ先頭からの現在の位置を表すＡＴＮを基準ＡＴＮとして設定し、さらに一つ前に読めたＡＴＮとして値を設定する（ステップＳ５）。基準ＡＴＮが取得できるまで、上記ステップＳ３〜Ｓ４の作業を繰り返す。
【００３６】
これにより、チェック開始後、最初に読めたＡＮＴの値、例えば図７に示すａにおけるＡＮＴを基準及び比較用の最初のＡＴＮとして取得する。
【００３７】
そして、基準ＡＴＮ取得後、次のトラックのＡＴＮが読めたか否かを判定して（ステップＳ６）、次のトラックのＡＴＮが読めた場合には、一つ前に読めたＡＴＮと今回取得できたＡＴＮの比較を行い（ステップＳ８）、２Ｔｒａｃｋ以内（ＡＴＮの差分で−４から４の間）であればデータは連続していると判断し（ステップＳ９）、連続性検出フラグを立て（ステップＳ１３）、一つ前に読めたＡＴＮを今回取得したＡＴＮの値に変更する。また、データが連続していると判断された場合、一つ前に読めたＡＴＮより今回取得できたＡＴＮが小さい場合には、基準ＡＴＮの値を今回取得できたＡＴＮに変更する。比較した値が２Ｔｒａｃｋ以上であった場合には、連続性検出フラグを落とす（ステップＳ１４）。
【００３８】
また、連続してＡＴＮが読めなかった場合にはテープ走行速度が遅いか否かを判定する（ステップＳ１０）。
【００３９】
なお、磁気テープ４０が１倍速で安定して走行するまでには、トラッキングがあわず、データが取得できないこともある。そのため、トラックが読めなかったときには、次にＡＴＮが読めるまでのかかったトラック数をカウントする（ステップＳ７）。
【００４０】
そして、ＡＮＴが読めなかった区間があった後にＡＴＮが取得できたときは、一つ前に読めたＡＴＮから１倍速で進んだときにとり得る理論値ＡＴＮを算出し、その値と実際に取得できたＡＴＮの値を比較して（ステップＳ１１）、５Ｔｒａｃｋ以内（ＡＴＮの差分で−１０から１０の間）であればつながっていると判断し、連続性検出フラグを立て（ステップＳ１３）、一つ前に読めたＡＴＮを今回取得したＡＴＮの値に変更する。またＡＴＮが読めるまでにかかったトラック数のカウントを１に初期化する。理論値ＡＴＮと実際に取得できたＡＴＮの差が５Ｔｒａｃｋよりも大きい場合には、連続性検出フラグを落とす（ステップＳ１４）。
【００４１】
すなわち、磁気テープ４０が１倍速で安定して走行するまでには、当然ＡＴＮが読めないトラックもでてくるので、読めない場合には、図８に示すように、次にＡＴＮが取得できるまで区間をカウントしていき、ＡＴＮが読めたときに、理論上とり得る値と、実際に読めた値を比較して、
理論上の値＝１つ前に読めたＡＴＮ＋読めなかった区間×２
｜理論上の値−実際に読めた値｜≦１０      式（１）
が成り立てば、ＡＴＮは連続していると判断し、連続性検出フラグを立てる。
【００４２】
例えば、図７に示すｂの区間のＡＴＮが取得できなかった場合、次の取得できるまでの区間４になり、トラック番号８のＡＴＮが１１であるとすると、理論上のＡＴＮは１９となる。
【００４３】
そこで、例えば図７に示すａ’におけるトラック番号８のＡＴＮが１７である場合には、上記式（１）が成り立つので、ＡＴＮは連続していると判断し、連続性検出フラグを立てる。これに対して、上記図７に示すａ’におけるトラック番号８のＡＴＮが３１である場合には、上記式（１）が成り立たないので、ＡＴＮは連続していない判断し、連続性検出フラグを落とす。また、上記図７に示すａ’におけるＡＴＮを基準及び比較用の最初のＡＴＮとして取得する。
【００４４】
また、磁気テープが１／３倍速などの低速で駆動している時に読めない区間があった場合には、一つ前に読めたＡＴＮの値と今回取得できたＡＴＮの値が３Ｔｒａｃｋ以内（ＡＴＮの差分で−６から６の間）であるか否かを判定し（ステップＳ１２）、差分が３Ｔｒａｃｋ以内であれば、つながっていると判断し、連続性検出フラグを立て（ステップＳ１３）、一つ前に読めたＡＴＮの値を今回取得したＡＴＮの値に変更する。また、上記差分が３Ｔｒａｃｋよりも大きい場合には連続していないと判断して、連続性検出フラグを落とす（ステップＳ１４）。
【００４５】
次に、連続性検出フラグが立っているか否かを判定する（ステップＳ１５）。
【００４６】
ＡＴＮが読めて、連続性検出フラグが落ちている場合には、読めたＡＴＮを基準ＡＴＮ、一つ前に読めたＡＴＮの値として再設定する（ステップＳ１６）。
【００４７】
また、ＡＴＮが読めて連続性検出フラグが立っている場合は、読めたＡＴＮをＥＣＣバンク先頭の値（図９のｃ）に変換する（ステップＳ１７）。ＡＴＮを右１ビットシフトして１６で割った余りを算出し、その余り×２の値をＡＴＮから引くことで、ＡＴＮをＥＣＣバンク先頭の値に変換することができる。変換した値と基準ＡＴＮの差分が７０Ｔｒａｃｋ以上（ＡＴＮの差分で１４０以上）であれば、このＥＣＣバンクがつなぎ開始点であったときに、つなぎ撮りしても問題ないと判断し、つなぎ開始点候補として、このときの変換したＡＴＮの値とつなぎ撮りＯＫ情報及びこのときのＥＣＣバンク番号をつなぎ開始点候補配列に格納する。逆に、変換した値と基準ＡＴＮの差分が７０Ｔｒａｃｋ未満であれば、つなぎ撮りできないと判断し、このときの変換したＡＴＮとつなぎ撮りＮＧ情報及びこのときのＥＣＣバンク番号をつなぎ開始点候補配列に格納する（ステップＳ１８）。なお、既に同じＡＴＮが配列に格納されている場合には、新たに配列には格納しない。
【００４８】
つなぎ撮り開始点を見つけた場合、記録再生装置１００の制御部２０からシステムコントローラ８０へ見つけたことを知らせるので、システムコントローラ８０は、つなぎ開始点が見つかったら磁気テープ４０の走行を止める（図６に示すｂ１）（ステップＳ１９）。見つかったつなぎ開始点のＥＣＣバンクの先頭ＡＴＮとつなぎ開始点候補配列と比較してつなげるかどうか判断し、つなげることができる場合には、次回記録をつなぎ記録にする。
【００４９】
次につなぎ開始待機点にテープを戻し中にＡＴＮをチェックすることによって、データの連続性を確認する方法について図１０に示すフローチャートを参照しながら説明する。これは図６に示すｃ１の部分に制御に相当する。
【００５０】
まず、システムコントローラ８０から記録再生装置１００の制御部２０に磁気テープ４０から既に記録されているデータを取得する指示を出し（ステップＳ２１）、磁気テープ４０をリバース方向へ起動させる（ステップＳ２２）。
【００５１】
次に、基準ＡＴＮが設定済みであるか否かを判定し（ステップＳ２３）、基準ＡＴＮが設定済みでない場合には、ＡＴＮを取得したか否かを判定し（ステップＳ２４）、磁気テープ起動後に最初に取得できたテープ先頭からの現在の位置を表すＡＴＮを基準ＡＴＮとして設定し、さらに一つ前に読めたＡＴＮとして値を設定する（ステップＳ２５）。基準ＡＴＮが取得できるまで、上記ステップＳ２３〜Ｓ２４の作業を繰り返す。
【００５２】
そして、基準ＡＴＮ取得後、次のトラックのＡＴＮが読めたか否かを判定して（ステップＳ２６）、次のトラックのＡＴＮが読めた場合には、一つ前に読めたＡＴＮと今回取得できたＡＴＮとの差分が想定値の範囲内であるか否かを判定する（ステップＳ２５）。
【００５３】
Ｎ倍速でテープを巻き戻す場合、次に読めたＡＴＮが一つ前に読めたＡＴＮから想定されるＡＴＮと比較してある範囲の値であれば連続していると判断し、今回読めたＡＴＮを一つ前に読めたＡＴＮとして設定して、範囲外であれば、今回読めたＡＴＮを基準ＡＴＮ及び一つ前に読めたＡＴＮとして設定する（ステップＳ２７）。
【００５４】
さらに、つなぎ記録可能の設定がなされているか否かを判定し（ステップＳ２９）、次回記録をつなぎ記録する判断がされていなければ、基準ＡＴＮと今回読めたＡＴＮの間につなぎ開始点とつなぎ記録開始待機点が入っているかどうか比較を行い、入っていれば、次回記録はつなぎ記録を行うように設定する（ステップＳ３０）。これをテープ停止まで行う（ステップＳ３１）。
【００５５】
次に、つなぎ開始待機中にその位置のＡＴＮとつなぎ開始点のＡＴＮの差分を比較することによって、データの連続性をチェックする方法について説明する。
【００５６】
図６に示すｈ１のバンクがつなぎ開始点と判断された場合、図６に示すａ１・ｃ１・ｄ１・ｅ１の順に磁気テープ４０を走行させてつなぎ記録開始待機点（図６に示すｆ１）にテープ位置を移動させる。そこでつなぎ記録開始点（図６に示すｈ１）とつなぎ記録開始待機点（図６に示すｆ１）の差である図６に示すｇ１の部分に想到する値が想定した固定量になっているかどうかで、次回記録をつなぎ記録でおこなうかどうか判断する。
【００５７】
ここでは、データの連続性チェックを行うことを記述したが、つなぎ開始点検索中（図６に示すａ１の分部）にデータをすべてバッファリングしておき、つなぎ記録開始点での記録開始タイミングをあわせることもできる。
【図面の簡単な説明】
【００５８】
【図１】本発明を適用した記録再生装置の構成を示すブロック図である。
【図２】上記記録再生装置におけるＤＲＡＭ上での記憶状態および磁気テープ上での記録状態を模式的に示す図である。
【図３】ＥＣＣＴＢの内容を示す図である。
【図４】つなぎ記録を行う場合、下地データの連続性について説明するための模式図である。
【図５】つなぎ開始点検索中のビデオデータの連続性チェック処理の手順を示すフローチャートである。
【図６】つなぎ開始点検索について説明するための模式図である。
【図７】下地データの連続性について説明するための模式図である。
【図８】ＡＴＮの理論上とり得る値と、実際に読めた値の関係を示す図である。
【図９】ＡＴＮが読めて連続性検出フラグが立っている場合の下地データの連続性について説明するための模式図である。
【図１０】つなぎ開始待機点にテープを戻し中にＡＴＮをチェックすることによって、データの連続性を確認する手順を示すフローチャートである。
【符号の説明】
【００５９】
１０  記録処理部、１１，１２  圧縮部、１３  システムデータ生成部、１４  ＤＲＡＭ、  １５  ＥＣＣ処理部、１６  入出力部、２０  制御部、３０  回転ヘッド、４０  磁気テープ、５０  再生処理部、８０  システムコントローラ、１００  記録再生装置
【図１】
2006066038.tif 000003
【図２】
2006066038.tif 000004
【図３】
2006066038.tif 000005
【図４】
2006066038.tif 000006
【図５】
2006066038.tif 000007
【図６】
2006066038.tif 000008
【図７】
2006066038.tif 000009
【図８】
2006066038.tif 000010
【図９】
2006066038.tif 000011
【図１０】
2006066038.tif 000012